(57)【要約】【課題】雨水の逆漏れを十分に低減できる瓦を提供する。【解決手段】一側から中央部にかけて形成された谷部１１と、他側に形成され谷部１１に一体的に連結され、谷部１１の平均曲率半径ｒ１より小さい平均曲率半径ｒ２を有する山部１２とを備え、谷部１１の下流側端部表面に形成された流水増速部１３と、谷部１１及び山部１２の上流側端部表面に形成された水返し部１４とを有する瓦１０において、流水増速部１３の直上流の谷部１１表面に形成され、谷部１１を流れる水を中央に集める湾曲凹部１５を有する。【選択図】図１
2015004170.tif 000002
【特許請求の範囲】
【請求項１】
一側から中央部にかけて形成された谷部と、他側に形成され前記谷部に一体的に連結され、前記谷部の平均曲率半径ｒ１より小さい平均曲率半径ｒ２を有する山部とを備え、前記谷部の下流側端部表面に形成された流水増速部と、前記谷部及び前記山部の上流側端部表面に形成された水返し部とを有する瓦において、
前記流水増速部の直上流の前記谷部の表面に形成され、該谷部を流れる水を中央に集める湾曲凹部を有することを特徴とする瓦。
【請求項２】
請求項１記載の瓦において、前記湾曲凹部の平均曲率半径ｒ３は、前記谷部の平均曲率半径ｒ１以下であることを特徴とする瓦。
【請求項３】
請求項１又は２記載の瓦において、前記谷部の上流側表面に設けられ、施工時に該瓦Ａを水平支持部材に固定する第１の固定部材が挿通される蓋付きの第１の貫通孔と、蓋無しの第２の貫通孔とがそれぞれ形成された円錐台状の第１、第２の凸部と、前記谷部の裏面に設けられ、下側に配置される該瓦Ｂの前記第１、第２の凸部の一部がそれぞれ嵌入する第１、第２のガイド凹部とを有することを特徴とする瓦。
【請求項４】
請求項３記載の瓦において、前記第２のガイド凹部の直上の表面に設けられ、蓋付きの第３の貫通孔が形成された円錐台状の第３の凸部を有し、上側に配置される該瓦Ａの前記第３の貫通孔と下側に配置される該瓦Ｂの前記第２の貫通孔とに前記第１の固定部材を挿通させることにより、前記水平支持部材に上側及び下側の該瓦Ａ、Ｂを同時固定可能に構成されていることを特徴とする瓦。
【請求項５】
請求項１〜４のいずれか１項に記載の瓦において、該瓦は軒瓦であり、前記谷部の下流側表面に設けられ、屋根の最下部に該瓦を固定する第２の固定部材が挿通される蓋付きの第４の貫通孔が形成された円錐台状の第４の凸部を有することを特徴とする瓦。
【発明の詳細な説明】
【技術分野】
【０００１】
本発明は瓦に関し、詳細には雨水の逆漏れの発生を減少させた瓦に関する。
【背景技術】
【０００２】
屋根に葺かれる瓦は、一側から中央部にかけて形成された谷部と、他側に形成され前記谷部に一体的に連結される山部とを有する。瓦が葺かれた屋根においては、特に勾配が緩い場合、暴雨の際に瓦と瓦との隙間から雨水の逆漏れの可能性がある。逆漏れが生じると野地坂その他の建築用材の腐食を促進させ、建築物の寿命が短くなるおそれがある。
【０００３】
そこで、逆漏れの発生を低減させるため、瓦の谷部の下流側端部表面に流水増速部を形成したものや、瓦の上流側端部表面に水返し部を形成したものが提案されている（特許文献１参照）。流水増速部を設けることで瓦表面を流れる雨水の速度が増し、瓦の下端から雨水が下側の瓦に落ちる際に雨水が前方に飛ばされ、逆漏れの発生が低減される。また、水返し部を設けることで、水返し部より奥に雨水が浸入することを抑えている。
【先行技術文献】
【特許文献】
【０００４】
【特許文献１】特公平７−９１８８４号公報
【発明の概要】
【発明が解決しようとする課題】
【０００５】
しかし、このような構造の瓦においても、雨水の逆漏れ抑制は十分ではない。例えば、降雨量が多いと、谷部を流れる雨水が増加し、その周囲の部分まで流れ、流水増速部の両側を雨水が流れ、風が瓦に沿って吹き上げる場合は、雨水が瓦の裏側に伝わることがある。
【０００６】
本発明はかかる事情に鑑みてなされたもので、雨水の逆漏れを十分に低減できる瓦を提供することを目的とする。
【課題を解決するための手段】
【０００７】
前記目的に沿う第１の発明に係る瓦は、一側から中央部にかけて形成された谷部と、他側に形成され前記谷部に一体的に連結され、前記谷部の平均曲率半径ｒ１より小さい平均曲率半径ｒ２を有する山部とを備え、前記谷部の下流側端部表面に形成された流水増速部と、前記谷部及び前記山部の上流側端部表面に形成された水返し部とを有する瓦において、
前記流水増速部の直上流の前記谷部の表面に形成され、該谷部を流れる水を中央に集める湾曲凹部を有する。
【０００８】
第２の発明に係る瓦は、第１の発明に係る瓦において、前記湾曲凹部の平均曲率半径ｒ３は、前記谷部の平均曲率半径ｒ１以下である。
【０００９】
第３の発明に係る瓦は、第１、第２の発明に係る瓦において、前記谷部の上流側表面に設けられ、施工時に該瓦Ａを水平支持部材に固定する第１の固定部材が挿通される蓋付きの第１の貫通孔と、蓋無しの第２の貫通孔とがそれぞれ形成された円錐台状の第１、第２の凸部と、前記谷部の裏面に設けられ、下側に配置される該瓦Ｂの前記第１、第２の凸部の一部がそれぞれ嵌入する第１、第２のガイド凹部とを有する。
【００１０】
第４の発明に係る瓦は、第３の発明に係る瓦において、前記第２のガイド凹部の直上の表面に設けられ、蓋付きの第３の貫通孔が形成された円錐台状の第３の凸部を有し、上側に配置される該瓦Ａの前記第３の貫通孔と下側に配置される該瓦Ｂの前記第２の貫通孔とに前記第１の固定部材を挿通させることにより、前記水平支持部材に上側及び下側の該瓦Ａ、Ｂを同時固定可能に構成されている。
【００１１】
第５の発明に係る瓦は、第１〜第４の発明に係る瓦において、該瓦は軒瓦であり、前記谷部の下流側表面に設けられ、屋根の最下部に該瓦を固定する第２の固定部材が挿通される蓋付きの第４の貫通孔が形成された円錐台状の第４の凸部を有する。
【発明の効果】
【００１２】
第１〜第５の発明に係る瓦によれば、谷部の下流側端部表面に形成された流水増速部の直上流に湾曲凹部がさらに形成されているため、雨水がこの湾曲凹部の底（中央）に集中し、より勢いよく流水増速部の下端（先端）から流れ出るため、逆漏れが十分に低減できる。
【００１３】
第２の発明に係る瓦によれば、湾曲凹部の平均曲率半径ｒ３を谷部の平均曲率半径ｒ１以下とすることにより、効率的に谷部を流れる雨水を湾曲凹部、特にその底に集めることができ、逆漏れをより低減することができる。
【００１４】
第３の発明に係る瓦によれば、谷部の上流側表面に第１、第２の凸部、及び谷部の裏面に第１、第２のガイド凹部が設けられており、施工（瓦葺）の際、下側の瓦Ｂの第１、第２の凸部を、上側の瓦Ａの第１、第２のガイド凹部にそれぞれ嵌入することができるので、瓦の位置合わせをスムーズかつ正確に行うことができる。また、このように最適な位置に位置合わせが可能であるので、逆漏れをより低減させることができる。
【００１５】
第４の発明に係る瓦によれば、第２のガイド凹部の直上の表面に設けられ、蓋付きの第３の貫通孔が形成された円錐台状の第３の凸部を有するため、施工時に、上側に配置される瓦Ａの第３の貫通孔と下側に配置される瓦Ｂの第２の貫通孔とに第１の固定部材を挿通させることができ、上下２枚の瓦Ａ、Ｂを同時に固定でき、作業性等を高めることができる。
【００１６】
第５の発明に係る瓦によれば、谷部の下流側表面に設けられ、屋根の最下部にこの瓦を固定する第２の固定部材が挿通される蓋付きの第４の貫通孔が形成された円錐台状の第４の凸部を有するため、軒瓦として用いたとき、上流側と下流側の少なくとも２箇所で瓦を固定することができる。
【図面の簡単な説明】
【００１７】
【図１】本発明の一実施の形態に係る瓦を示す斜視図である。
【図２】同瓦の平面図である。
【図３】同瓦の底面図である。
【図４】同瓦のＡ−Ａ端面図である。
【図５】同瓦のＢ−Ｂ端面図である。
【図６】同瓦のＣ−Ｃ端面図である。
【図７】同瓦のＤ−Ｄ端面図である。
【図８】同瓦のＥ−Ｅ端面図である。
【図９】同瓦の施工方法を示す模式的端面図である。
【発明を実施するための形態】
【００１８】
続いて、添付した図面を参照しながら本発明を具体化した実施の形態について説明する。
図１〜図８に示すように、本発明の一実施の形態に係る瓦１０は、谷部１１及び山部１２を備えている。なお、瓦１０は、粘土、セメント等により一体的に成形されている。谷部１１及び山部１２は、一般的な和瓦や洋瓦と同様の構造である。具体的には、平面視して略矩形状の瓦１０において、谷部１１は一側から中央部にかけて形成されており、山部１２は他側に形成されている。谷部１１の底方向（雨水の流れる方向）と山部１２の尾根方向とは同一方向であり、谷部１１と山部１２とは一体的に連結している。また、山部１２の平均曲率半径ｒ２（表面側）は、谷部１１の平均曲率半径ｒ１（表面側）より小さく構成されている。平均曲率半径は、山部の尾根方向と垂直な平面での断面形状を元に測定できる。
【００１９】
図１、図３に示すように、瓦１０は、流水増速部１３、水返し部１４、湾曲凹部１５、第１の凸部１６、第２の凸部１７、第１のガイド凹部１８、第２のガイド凹部１９、第３の凸部２０及び第４の凸部２１を有している。
【００２０】
流水増速部１３は、谷部１１の下流側端部表面に形成されている。流水増速部１３は、谷部１１の表面を流れる雨水の流速を加速させる機能を有する部分である。具体的には、流水増速部１３は、谷部１１の表面における下流側端部に形成された急斜面（法面）２２及びこの急斜面２２に連結する緩斜面２３から形成されている。急斜面２２と緩斜面２３とは、角が無く曲面状に連結しており、急斜面２２及び緩斜面２３共に谷部１１の底に併せて湾曲した形状となっている。
【００２１】
流水増速部１３の深さ（緩斜面２３と谷部１１の表面との高さの差）としては、例えば５ｍｍ以上２ｃｍ以下程度である。このような段構造の流水増速部１３を有することにより、谷部１１表面を流れる流水の速度が下流端部分（流水増速部１３）で増し、瓦１０の下端から雨水が下側の瓦に落ちる際に雨水が前方に飛ばされ、逆漏れの発生が低減される。
【００２２】
水返し部１４は、浸入してくる雨水を返し、逆漏れを低減させる機能を有する部分である。谷部１１及び山部１２の上流側端部表面に壁状に形成されている。水返し部１４の幅としては、例えば３ｍｍ以上１ｃｍ以下程度である。水返し部１４は、谷部１１の底の位置については高く、他の部分については若干低く形成されている。谷部１１の底の位置における水返し部の高さとしては、例えば３ｍｍ以上１ｃｍ以下程度であり、他の部分における水返し部の高さとしては、例えば１ｍｍ以上６ｍｍ以下程度である。このような水返し部１４を有することにより、水返し部１４より奥に雨水が浸入することを抑え、逆漏れの発生を低減している。
谷部１１の裏側の上流側端部には、底が平面となった脚部１４ａが設けられて、瓦１０を平面上に置いた場合、容易に左右に傾かない構造となっている。この脚部１４ａは水返し部１４の裏側に位置する。
【００２３】
湾曲凹部１５は、流水増速部１３の直上流の谷部１１表面の底（中央）に形成されている。湾曲凹部１５は平面視して舌状である。湾曲凹部１５の長さ（雨水の流れ方向の長さ）としては、例えば瓦１０の長さの１／４以上１／２以下程度とすることができる。湾曲凹部１５の断面形状としては、Ｖ字状、Ｕ字状、円弧状等、特に限定されない。瓦１０によれば、このように流水増速部１３の直上流に湾曲凹部１５が形成されているため、雨水がこの湾曲凹部１５の底（中央）に集中し、瓦１０の下端から雨水が勢いよく流れ出るため、逆漏れが十分に低減できる。湾曲凹部１５の平均曲率半径ｒ３としては、谷部１１の平均曲率半径ｒ１以下であることが好ましい。このように、湾曲凹部１５の平均曲率半径ｒ３を谷部１１の平均曲率半径ｒ１以下とすることにより、効率的に瓦１０表面、即ち谷部１１を流れる雨水を湾曲凹部１５、特にその底に集めることができ、逆漏れ低減機能を高めることができる。
【００２４】
湾曲凹部１５は、周縁に法面１５ａを有して、谷部１５の曲率半径ｒ１と同一の平均の曲率半径を有してもよいし、その曲率半径ｒ３を曲率半径ｒ１以下にして、湾曲凹部１５の周囲に法面を形成しないようにしてもよい。なお、湾曲凹部１５の最大深さは、１ｍｍ以上で谷部１５の厚みの０．３倍以下とするのがよい。この理由は、湾曲凹部１５の深さが浅い場合は集水効率が下がり、湾曲凹部１５の深さを深くするとその部分の瓦の厚みが小さくなり、割れ易くなるからである。また、ここで曲率半径とは、断面形状の３以上の点をとり、そのうちの３点を通る円弧の半径の平均をいう（単に、平均曲率半径という）。
【００２５】
第１の凸部１６及び第２の凸部１７は、谷部１１の上流側端部表面に、谷部１１の底に対して対称（非対称でもよい）に設けられている。凸部１６、１７は円錐台状である。凸部１６、１７には、その軸方向中央に、施工（瓦葺）時に瓦１０を水平支持部材（桟木等）に固定する第１の固定部材（パッキン付きのねじ、釘等）が挿通される第１の貫通孔２４、第２の貫通孔２５がそれぞれ形成されている。
【００２６】
なお、第１の凸部１６に形成された第１の貫通孔２４の表面側に皿（窪み）付きの蓋２６が設けられている。一方、第２の凸部１７に形成された第２の貫通孔２５には蓋が付いておらず表面側裏面側とも開口している。
蓋２６は、凸部１６自体と一体的に形成されているものである。また、第１の貫通孔２４にねじ等を挿通させる際、例えば、ねじ等により蓋２６を突き破って挿通させることとなる。凸部１６、１７の高さとしては、特に限定されないが、例えば５ｍｍ以上１．５ｃｍ以下程度とすることができる。このように凸部１６、１７をある程度の高さとすることで、貫通孔２４、２５からの雨水の流入を抑制することができる。
【００２７】
第１のガイド凹部１８及び第２のガイド凹部１９は、谷部１１の裏面であって、下側に配置される瓦１０の第１、第２の凸部１６、１７の一部がそれぞれ嵌入する位置に設けられている。具体的には、ガイド凹部１８、１９は、谷部１１の下流側端部分の裏面に設けられ、かつ、それぞれ凸部１６、１７の下流位置に設けられている。また、ガイド凹部１８、１９は、流水増速部１３と谷部１１の境界部分の裏側で、左右両側に設けられている。このガイド凹部１８、１９により、瓦１０を葺く際の位置合わせをスムーズかつ正確に行うことなどができ、逆漏れをより低減させることができる。
【００２８】
第３の凸部２０は、第２のガイド凹部１９の直上の谷部１１表面に設けられている。すなわち、第３の凸部２０は、谷部１１表面下流端部分において、第２の凸部１７の下流位置に設けられている。凸部２０は円錐台状である。凸部２０には、その軸方向中央に、施工（瓦葺）時に瓦１０を水平支持部材（桟木等）に固定する第１の固定部材（ねじ、釘等）が挿通可能な第３の貫通孔２７が形成されている。なお、第３の貫通孔２７の表面側には蓋２８が付いている。この蓋２８は凸部２０と一体に形成されている。
【００２９】
第４の凸部２１は、谷部１１表面の下流側であって、第３の凸部２０の直上流位置に設けられている。凸部２１は円錐台状である。凸部２１には、その軸方向中央に、軒瓦として施工（瓦葺）時に瓦１０を最下段の水平支持部材（桟木等）に固定する第２の固定部材（ねじ、釘等）が挿通可能な第４の貫通孔２９が形成されている。なお、第４の貫通孔２９の表面側には蓋３０が付いている。この蓋３０は凸部２１と一体に形成されている。
【００３０】
次に、瓦１０の使用方法（施工方法）について、図９を参照して説明する。瓦１０の一つである瓦Ａを屋根３１に葺くとき、下側に配置されている瓦Ｂの第１、第２の凸部１６、１７の上部を、瓦Ａの第１、第２のガイド凹部１８、１９にそれぞれ嵌入するように、瓦Ａを載置する。このように瓦１０によれば、ガイド凹部１８、１９が設けられているため、位置合わせが容易かつ正確になる。このように瓦Ａ、Ｂを重ねた状態で、瓦Ａの第３の凸部２０に形成された第３の貫通孔２７と、瓦Ｂの第２の凸部１７に形成された第２の貫通孔２５とに、第１の固定部材の一例である釘３２ａを挿通させ、水平支持部材の一例である桟木３３ａに固定する。このようにすることで、桟木３３ａに対して、瓦Ａ、Ｂを同時固定することができる。
【００３１】
なお、釘３２ａの挿通部分（貫通孔２７等）には、適宜、コーキング処理等が施される。また、下側に位置する瓦Ｂにおける第２の凸部１７の第２の貫通孔２５においては、十分なコーキング処理が施しにくい場合もあるが、第２の凸部１７がある程度の高さを有しているため、雨水の流入が抑制される。なお、釘３２ａの代わりにパッキンが設けられたビス、パッキンが設けられた釘を使用することもできる。
【００３２】
瓦１０を軒瓦として用いる場合（図９における瓦Ｂ）、瓦Ｂの下流側は第４の凸部２１に形成された第４の貫通孔２９に第２の固定部材の一例である釘３２ｂを挿通させて、屋根３１の最下部に配置された桟木３３ｂに瓦Ｂを固定させる。このようにすることで、軒瓦としての瓦Ｂを上下２箇所で固定することができる。
【００３３】
なお、他の貫通孔（例えば、第１の貫通孔２４）には、必要に応じて適宜釘等の固定部材を挿通させて桟木等に固定することで、瓦１０をより強固に固定することができる。なお、使用しない貫通孔には蓋が設けられているため、使用しない貫通孔からの雨水の流入を防ぐことができる。
【００３４】
本発明は前記した実施の形態に限定されるものではなく、本発明の要旨を変更しない範囲でその構成を変更することもできる。例えば、第１〜第４の凸部は必須ではなく、設けられていなくともよく、第１及び第２の凸部のみを設けるなど、必要に応じて適宜設ければよい。
【符号の説明】
【００３５】
１０：瓦、１１：谷部、１２：山部、１３：流水増速部、１４：水返し部、１４ａ：脚部、１５：湾曲凹部、１５ａ：法面、１６：第１の凸部、１７：第２の凸部、１８：第１のガイド凹部、１９：第２のガイド凹部、２０：第３の凸部、２１：第４の凸部、２２：急斜面、２３：緩斜面、２４：第１の貫通孔、２５：第２の貫通孔、２６：蓋、２７：第３の貫通孔、２８：蓋、２９：第４の貫通孔、３０：蓋、３１：屋根、３２ａ、３２ｂ：釘、３３ａ、３３ｂ：桟木
【図１】
2015004170.tif 000003
【図２】
2015004170.tif 000004
【図３】
2015004170.tif 000005
【図４】
2015004170.tif 000006
【図５】
2015004170.tif 000007
【図６】
2015004170.tif 000008
【図７】
2015004170.tif 000009
【図８】
2015004170.tif 000010
【図９】
2015004170.tif 000011